(57)【要約】【課題】位置に関してより正確な情報の提供を可能にする位置情報通知システム及び送信専用のスポット告知専用基地局を提供すること【解決手段】本発明にかかる位置情報通知システムは、携帯端末２と、携帯端末２と通信を行い公衆通信網４を介して他の通信端末と接続する携帯端末基地局３と、自己の無線エリア６０内の携帯端末２に対して自身を識別するセル識別情報を送信するスポット告知専用基地局６と、セル識別情報に関連付けてセル識別情報に対応するスポット告知専用基地局６が設けられた場所に関連する提供情報を記憶するデータベース５１を備える。携帯端末２は、セル識別情報を検出した場合、データベース５１からセル識別情報と関連付けられた提供情報を取得する。スポット告知専用基地局６は、携帯端末基地局３の無線エリア３０より狭い無線エリア６０を有し、公衆通信網４に非接続かつ送信専用である。【選択図】図１
2012114673.tif 000002
【特許請求の範囲】
【請求項１】
携帯端末と、
前記携帯端末と通信を行い、公衆通信網を介して他の通信端末と接続する携帯端末基地局と、
自己の無線エリア内の前記携帯端末に対して自身を識別するセル識別情報を送信するスポット告知専用基地局と、
前記セル識別情報に関連付けて前記セル識別情報に対応する前記スポット告知専用基地局が設けられた場所に関連する提供情報を記憶するデータベースと、
を備え、
前記携帯端末は、前記セル識別情報を検出した場合、前記携帯端末基地局を介して前記データベースから前記セル識別情報と関連付けられた前記提供情報を取得し、
前記スポット告知専用基地局は、前記携帯端末基地局の無線エリアよりも狭い無線エリアを有し、前記公衆通信網に非接続かつ送信専用である、
位置情報通知システム。
【請求項２】
前記位置情報通知システムは、第１のスポット告知専用基地局及び第２のスポット告知専用基地局を有し、
前記第１のスポット告知専用基地局及び前記第２のスポット告知専用基地局は、同一建物において異なる階に設置されている、
請求項１に記載の位置情報通知システム。
【請求項３】
自己の無線エリア内の携帯端末に対して自身を識別するセル識別情報を送信し、
前記携帯端末と通信を行い公衆通信網を介して他の通信端末と接続する携帯端末基地局の無線エリアよりも狭い無線エリアを有し、
前記公衆通信網に非接続である、送信専用のスポット告知専用基地局。
【請求項４】
前記スポット告知専用基地局の無線エリアは、同一建物の異なる階に設置された他のスポット告知専用基地局の無線エリアと重複しない範囲を有する、
請求項３に記載のスポット告知専用基地局。
【発明の詳細な説明】
【技術分野】
【０００１】
本発明は位置情報通知システム及び送信専用のスポット告知専用基地局に関する。
【背景技術】
【０００２】
携帯端末の位置情報に基づいて、施設等の情報を提供する技術が開発されている。
【０００３】
図８を用いて、携帯端末の位置情報を取得する技術の一例について説明する。図８は、携帯端末の位置として、携帯端末基地局の無線エリアを携帯端末のスポットとして処理する位置情報通知システムの全体構成例を示す図である。図８において利用者１０１は、携帯端末１０２を使用している。携帯端末１０２の基地局は携帯端末基地局１０３であり、携帯端末基地局１０３は無線エリア１０４を有する。携帯端末基地局１０３は、コアネットワーク１０５を介して、サービスネットワーク１１０に接続可能である。サービスネットワーク１１０は、無線エリア１０４を示すセル識別情報（以下、セルＩＤと記述する）に関連付けられた位置情報を記憶するデータベース１１１を備えている。
【０００４】
携帯端末１０２は、携帯端末基地局１０３が送信する、無線エリア１０４を示すセルＩＤを受信する。携帯端末１０２は、携帯端末基地局１０３を介し、コアネットワーク１０５を経由して、サービスネットワーク１１０に接続する。サービスネットワーク１１０はデータベース１１１を参照し、セルＩＤに関連した位置情報を取得して、携帯端末１０２に出力する。以上のようにして、携帯端末１０２はセルＩＤに関連した位置情報を取得する。また、携帯端末１０２は位置情報に関連した情報として、無線エリア１０４内の建造物２００の情報を取得することも可能である。
【０００５】
しかし、携帯端末基地局１０３の無線エリア１０４は広域であることが多い。そのため、図８に示した位置情報通知システムでは，携帯端末１０２に精度の良い位置情報又は位置情報に関連した施設や店舗の情報を提供することは困難である。
【０００６】
以上から、基地局の位置情報以外の情報を用いて、携帯端末の位置をより正確に判定し、精度の高い位置情報を提供する技術が開発されている。例えば、特許文献１では、ＧＰＳ（Ｇｌｏｂａｌ  Ｐｏｓｉｔｉｏｎｉｎｇ  Ｓｙｓｔｅｍ）機能を有した携帯端末が、車等に備えられた基地局と通信を行うことで、より正確な位置情報を取得できる技術が開示されている。
【０００７】
その他の携帯端末の関連技術として、特許文献２では、無線基地局において設けられたセル内において指向性アンテナにより専用セルを設け、専用セル内の携帯端末は指向性アンテナと送受信を行うことで、無線チャネルを当該携帯端末に割り当てる技術が開示されている。特許文献３では、携帯端末の通信用の無線基地局とは別に位置登録用無線基地局を設け、携帯端末は位置登録用無線基地局と送受信を行うことで、携帯端末は短時間で通話可能な無線基地局を探すことができる技術が開示されている。
【先行技術文献】
【特許文献】
【０００８】
【特許文献１】特開２０１０−０８５２５６号公報
【特許文献２】特開２００５−３１８３５９号公報
【特許文献３】特開平０９−２４７７４０号公報
【発明の概要】
【発明が解決しようとする課題】
【０００９】
しかしながら、特許文献１のようにＧＰＳシステムを用いる技術でも、携帯端末が建物内にある場合等には、携帯端末の位置検出が正確にできない場合がある。図９は、ＧＰＳを用いた位置情報通知システムの全体構成例を示す図である。図９では、携帯端末１０２を所持した利用者１０１が、建造物２００のＮ階２０１にいる状態が示されている。携帯端末１０２は、ＧＰＳ衛星３０１からの電波を取得する働きをするＧＰＳレシーバを内蔵する。この場合、建造物２００内の携帯端末１０２がＧＰＳ衛星３０１からの電波を取得できず、携帯端末１０２は前述の通り、携帯端末基地局１０３の無線エリア１０４を示すセルＩＤに基づいて、位置情報を取得しなくてはならない事態が考えられる。
【００１０】
以上の問題を解決するための例として、地下街で、屋外のＧＰＳアンテナが受信したＧＰＳ信号を、地下街の天井に設置した小型アンテナで携帯端末に再送信するという仕組みを用いるＧＰＳシステムもある。しかしその場合、携帯端末が取得する位置情報は、高さ（地上と地下街）の区別がつかないという問題が残る。このため、携帯端末が取得する施設又は店舗等の提供情報は、携帯端末の利用者がいる階とは異なる階の情報であるような、不適切な情報となる場合がある。
【００１１】
本発明は、このような問題点を解決するためになされたものであり、位置に関してより正確な情報の提供を可能にする位置情報通知システム及び送信専用のスポット告知専用基地局を提供することを目的とする。
【課題を解決するための手段】
【００１２】
本発明にかかる位置情報通知システムは、携帯端末と、前記携帯端末と通信を行い、公衆通信網を介して他の通信端末と接続する携帯端末基地局と、自己の無線エリア内の前記携帯端末に対して自身を識別するセル識別情報を送信するスポット告知専用基地局と、前記セル識別情報に関連付けて前記セル識別情報に対応する前記スポット告知専用基地局が設けられた場所に関連する提供情報を記憶するデータベースを備え、前記携帯端末は、前記セル識別情報を検出した場合、前記携帯端末基地局を介して前記データベースから前記セル識別情報と関連付けられた前記提供情報を取得し、前記スポット告知専用基地局は、前記携帯端末基地局の無線エリアよりも狭い無線エリアを有し、前記公衆通信網に非接続かつ送信専用である。
【００１３】
本発明にかかる送信専用のスポット告知専用基地局は、自己の無線エリア内の携帯端末に対して自身を識別するセル識別情報を送信し、前記携帯端末と通信を行い公衆通信網を介して他の通信端末と接続する携帯端末基地局の無線エリアよりも狭い無線エリアを有し、前記公衆通信網に非接続である。
【発明の効果】
【００１４】
本発明により、位置に関してより正確な情報の提供を可能にする位置情報通知システム及び送信専用のスポット告知専用基地局を提供することができる。
【図面の簡単な説明】
【００１５】
【図１】実施の形態１にかかる位置情報通知システムの全体構成例を示す図である。
【図２】実施の形態１にかかる携帯端末の構成例を示すブロック図である。
【図３】実施の形態１にかかるスポット告知専用基地局の構成例を示すブロック図である。
【図４】実施の形態１にかかるスポット告知専用基地局のベースバンド処理部が行う処理のフローチャートである。
【図５】実施の形態１にかかる携帯端末の上位アプリケーション処理部が行う処理のフローチャートである。
【図６】実施の形態１にかかるサービスネットワークが行う処理のフローチャートである。
【図７】実施の形態２にかかる位置情報通知システムの全体構成例を示す図である。
【図８】携帯端末基地局の無線エリアを携帯端末のスポットと判定する位置情報通知システムの全体構成例を示す図である。
【図９】ＧＰＳを用いた位置情報通知システムの全体構成例を示す図である。
【発明を実施するための形態】
【００１６】
実施の形態１
以下、図面を参照して本発明の実施の形態１について説明する。図１は、本実施の形態にかかる位置情報通知システムの全体構成例を示す図である。図１において利用者１は、街路等の地上に位置し、携帯端末２を使用している。携帯端末２の基地局は携帯端末基地局３であり、携帯端末基地局３は無線エリア３０を有する。携帯端末基地局３は、コアネットワーク４を介して、サービスネットワーク５に接続可能である。サービスネットワーク５は、情報を記憶するデータベース５１を備えている。以上の実施の形態１の位置情報通知システムの構成は、図８に示した、位置情報通知システムの全体構成例と同様である。
【００１７】
図１の位置情報通知システムが図８の位置情報通知システムと異なる点は、スポット告知専用基地局６が携帯端末基地局の無線エリア３０内に配置されていることである。スポット告知専用基地局６は、電柱７の上部に配置されており、無線エリア６０を有する。スポット告知専用基地局６は、無線エリア６０内の携帯端末に、自身を識別するセル識別情報（以降、セルＩＤと記述）を含む報知情報を送信する。また、無線エリア６０内には、施設８が設けられている。以上が、本実施の形態にかかる位置情報通知システムの全体構成例である。
【００１８】
携帯端末２は、例えば携帯電話、ＰＨＳ（Ｐｅｒｓｏｎａｌ  Ｈａｎｄｙ−ｐｈｏｎｅ  Ｓｙｓｔｅｍ）、携帯情報端末、スマートフォン等の携帯端末である。携帯端末２は、携帯端末基地局３を介して、コアネットワーク４を経由し、サービスネットワーク５に接続して、情報を取得することが可能である。また、携帯端末２はスポット告知専用基地局６からの無線を受信し、報知情報からスポット告知専用基地局６を識別するセルＩＤを検出することが可能である。
【００１９】
図２を用いて、携帯端末２の構成を示す。携帯端末２は、上位アプリケーション処理部２１、下位レイヤ処理部２２、無線送受信モジュール部２３を備える。無線送受信モジュール部２３は、携帯端末２が無線の送受信を行うモジュール部であり、アンテナ等を備えている。また、その他にも携帯端末２は操作部、ディスプレイ等の表示部、電源部（図示せず）等を備える。
【００２０】
送受信に関する携帯端末２の各部の処理について、説明する。上位アプリケーション処理部２１は下位レイヤ処理部２２にアクセスして、スポット告知専用基地局６からの報知情報からセルＩＤを検出することができる。また、上位アプリケーション処理部２１は下位レイヤ処理部２２にアクセスして、無線送受信モジュール部２３により、携帯端末基地局３に対する無線の送信を行うことができる。その他、上位アプリケーション処理部２１は、携帯端末２のアプリケーションに関する処理を行う。
【００２１】
下位レイヤ処理部２２は、無線送受信モジュール部２３が受信したスポット告知専用基地局６からの無線情報を取得し、上位アプリケーション処理部２１に出力する。また、その他、携帯端末２の下位レイヤとしての機能を有する。
【００２２】
無線送受信モジュール部２３は、携帯端末基地局３又はスポット告知専用基地局６からの無線を受信すると、下位レイヤ処理部２２にその報知情報を出力する。また、無線送受信モジュール部２３は、上位アプリケーション処理部２１の指令に基づき、携帯端末基地局３に対する無線の送信を行う。
【００２３】
携帯端末基地局３は、携帯端末２と通信を行い、コアネットワーク４を介して他の通信端末との接続ができる基地局である。また携帯端末基地局３は、コアネットワーク４を経由して、サービスネットワーク５に接続している。つまり利用者１は、携帯端末２が携帯端末基地局３と通信することで、音声通信やデータ通信などのサービスが受けられる。
【００２４】
コアネットワーク４は、サービスネットワーク５と接続されているネットワークであり、ここでは公衆通信網である。
【００２５】
サービスネットワーク５は、データベース５１を備えているネットワークである。データベース５１は、スポット告知専用基地局６が送信するセルＩＤに関連付けられた提供情報を記憶する。この提供情報は、セルＩＤに対応するスポット告知専用基地局６が設けられた場所に関連する情報である。提供情報の具体的な例は、スポット告知専用基地局６周辺の位置情報、周辺の施設又は店舗等の情報、スポット告知専用基地局６周辺のイベント情報、その他のスポット告知専用基地局６周辺と関連する区域の情報（スポット告知専用基地局６と隣接したスポット告知専用基地局周辺の情報、スポット告知専用基地局６周辺の施設又は店舗等の支店情報等）である。
【００２６】
スポット告知専用基地局６は、無線エリア６０内の携帯端末２に対して、自身を他のスポット告知専用基地局と識別するセルＩＤを含む報知情報を送信する。このセルＩＤは、スポット告知専用基地局によって番号が異なるといった性質を有する。また、スポット告知専用基地局６はコアネットワーク４に非接続であり、送信専用の基地局である。つまり、スポット告知専用基地局６は、ユーザトラフィックに関する交信を行わない。
【００２７】
また、スポット告知専用基地局の無線エリア６０は、携帯端末基地局の無線エリア３０よりも狭いエリアである。無線エリア６０がカバーするエリアは、商業施設のフロア又はその一部、テーマパーク、イベント会場、遊園地の全体又はその一区域、大通りや商店街の一区画等、携帯端末基地局３の無線エリア３０よりも狭小なエリアが例として考えられる。
【００２８】
スポット告知専用基地局６の具体的な構成について、図３を参照して説明する。スポット告知専用基地局６は、報知情報格納メモリ部６１、ベースバンド処理部６２、アンプ部６３、アンテナ部６４を備える。また、スポット告知専用基地局６は電源部（図示せず）等を備える。
【００２９】
報知情報格納メモリ部６１には、予め、セルＩＤを含む報知情報が記憶されている。ベースバンド処理部６２は、報知情報格納メモリ部６１、アンプ部６３の制御を行う。ベースバンド処理部６２は、報知情報格納メモリ部６１からセルＩＤを含む報知情報を信号として取り出し、当該信号を変調して、アンプ部６３に出力する。アンプ部６３はその信号を増幅して、アンテナ部６４に出力する。アンテナ部６４は出力された信号を電波に変換し、無線エリア６０内に報知情報を送信する。
【００３０】
なお、本実施の形態では、携帯端末基地局３が出力する無線の周波数帯域と、スポット告知専用基地局６が出力する無線の周波数帯域は同じであり、位置情報通知システムにおいて多重通信が行われている。例えば、スポット告知専用基地局６のベースバンド処理部６２は、スポット告知専用基地局毎に異なったスクランブリング・コードを用いて報知情報の信号を変調し、無線で送信する。携帯端末２は、受信した情報中のスクランブリング・コードを認識することで、携帯端末基地局３から出力された無線情報と、スポット告知専用基地局６が出力する無線情報とを識別する。
【００３１】
以降、スポット告知専用基地局６が報知情報を無線で送信し、携帯端末２がその報知情報を認識してセルＩＤを検出した後、データベース５１に接続して提供情報を取得するプロセスについて詳しく説明する。
【００３２】
最初に、図４を用いて、スポット告知専用基地局６が報知情報を無線で送信するプロセスについて説明する。図４は、スポット告知専用基地局６のベースバンド処理部６２が行う処理についてのフローチャートである。
【００３３】
まず、ベースバンド処理部６２は、スポット告知専用基地局６を起動させる基地局起動の処理を行う（ステップＳ１）。次に、ベースバンド処理部６２は、報知情報格納メモリ部６１にアクセスして、セルＩＤを含む報知情報を読み出す（ステップＳ２）。その後、ベースバンド処理部６２は、前述の変調の処理をした上で、報知情報をアンプ部６３に出力する（ステップＳ３）。以降、ベースバンド処理部６２は、ステップＳ３の処理を続ける。
【００３４】
出力された報知情報は、アンプ部６３、アンテナ部６４を介して、無線信号として、スポット告知専用基地局６の無線エリア６０に送信される。アンプ部６３、アンテナ部６４が報知情報の信号の送信に際して行う処理は前述の通りである。以上により、スポット告知専用基地局６は報知情報を無線で送信する。
【００３５】
次に、図５、図６を用いて、携帯端末２が報知情報を認識し、サービスネットワーク５からセルＩＤに関連付けられた情報を取得するプロセスについて説明する。なお、図５は、携帯端末２の上位アプリケーション処理部２１が行う処理のフローチャートである。図６は、サービスネットワーク５が行う処理のフローチャートである。
【００３６】
図６にて、携帯端末２の上位アプリケーション処理部２１は、下位レイヤ処理部２２にアクセスして、自分が在圏するエリアのスポット告知専用基地局の報知情報を取得する（ステップＳ１１）。この際、下位レイヤ処理部２２、無線送受信モジュール部２３が行う処理は前述の通りである。
【００３７】
上位アプリケーション処理部２１は、取得した報知情報から、セルＩＤを検出することができる。上位アプリケーション処理部２１は、ステップＳ１１の後、新たに検出したスポット告知専用基地局のセルＩＤがあるか否かを調べる（ステップＳ１２）。新たに検出したスポット告知専用基地局のセルＩＤがない場合（ステップＳ１２のＮＯ）、上位アプリケーション処理部２１はステップＳ１１に戻って処理を行う。
【００３８】
携帯端末２が、図１で示したスポット告知専用基地局６の無線エリア６０に新たに入った場合（ステップＳ１２のＹＥＳ）、上位アプリケーション処理部２１は新たなスポット告知専用基地局６のセルＩＤを検出する。上位アプリケーション処理部２１は、このセルＩＤの情報をサービスネットワーク５に通知する（ステップＳ１３）。具体的には、上位アプリケーション処理部２１は、下位レイヤ処理部２２を制御して、無線送受信モジュール部２３により、携帯端末基地局３を介してサービスネットワーク５に接続する。これにより、上位アプリケーション処理部２１は、携帯端末基地局３を介したユーザトラフィックの通信により、セルＩＤの情報をサービスネットワーク５に通知し、照会する。
【００３９】
次に、図７を用いて、図６のステップＳ１３の際にサービスネットワーク５が行う処理について説明する。まず、サービスネットワーク５は、携帯端末２から、セルＩＤの問い合わせがあるか否かを調べる（ステップＳ２１）。問い合わせがない場合（ステップＳ２１のＮＯ）、サービスネットワーク５は、ステップＳ２１の処理を再度行う。
【００４０】
問い合わせがあった場合（ステップＳ２１のＹＥＳ）、サービスネットワーク５は、携帯端末２から出力されたセルＩＤを取得し、そのセルＩＤを元に、セルＩＤに関連付けられた提供情報をデータベース５１から抽出する（ステップＳ２２）。提供情報は、前述の通り、無線エリア６０の位置、無線エリア６０内にある施設又は店舗といった情報であり、対応するセルＩＤに関連付けられてデータベース５１に格納されている。サービスネットワーク５は、携帯端末基地局３を介して、データベース５１から抽出したその提供情報を携帯端末２に送信する（ステップＳ２３）。ステップＳ２３の後、サービスネットワーク５は、ステップＳ２１の処理に戻る。
【００４１】
図６に戻り、携帯端末２の上位アプリケーション処理部２１が行う処理について再度説明する。上位アプリケーション処理部２１は、ステップＳ１３の後、サービスネットワーク５からの応答を検出したか否かを判定する（ステップＳ１４）。サービスネットワーク５からの応答を検出しない場合（ステップＳ１４のＮＯ）、上位アプリケーション処理部２１は、ステップＳ１４の処理を再度行う。
【００４２】
上位アプリケーション処理部２１がサービスネットワーク５からの応答を検出した場合（ステップＳ１４のＹＥＳ）、上位アプリケーション処理部２１は、この応答を処理する（ステップＳ１５）。この応答処理の具体例は、上位アプリケーション処理部２１が携帯端末２の有する位置情報を更新したり、利用者１に対して、無線エリア６０内にある施設又は店舗の情報を表示して知らせたりすることである。上位アプリケーション処理部２１は、ステップＳ１５の後、ステップＳ１１に戻って処理を行う。
【００４３】
以上から、携帯端末２の利用者１は、自分がいる無線エリア６０（スポット告知専用基地局６の周辺）の場所に関連する提供情報を知ることができる。無線エリア６０は携帯端末基地局３の無線エリア３０より狭いため、本実施形態にかかる位置情報通知システムは、位置に関してより正確な情報を提供することができる。例えば、利用者１はより正確な位置情報を取得したり、周辺にある施設又は店舗のより正確な情報を取得したりすることができる。
【００４４】
実施の形態２
次に、図７を参照して、本発明の実施の形態２について説明する。図７は、本実施の形態にかかる位置情報通知システムの全体構成例を示す図である。図７は、スポット告知専用基地局は多層階の施設８の各階に設置され、携帯端末２の利用者１はその施設８内に位置する場合を示している。
【００４５】
携帯端末２の利用者１は多層階の施設８のＮ階８１におり、Ｎ階８１にはスポット告知専用基地局６が設けられている。施設８は上方を天井、下方を床で仕切られた構造を持ち、Ｎ階８１だけがスポット告知専用基地局６の無線エリア６０である。なお、Ｎ階は施設８の任意の地上の階であるが、施設８の地下の階であってもよい。他の階も同様に、各階に設けられたスポット告知専用基地局の無線エリアは、その階全体をカバーしている。つまり、複数のスポット告知専用基地局は、施設８において重複しない異なる範囲の無線エリアを有する。
【００４６】
サービスネットワーク５のデータベース５１では、スポット告知専用基地局６のセルＩＤに関連付けられる情報として、Ｎ階８１に位置する施設又は店舗の情報のみが、スポット告知専用基地局６のセルＩＤに関連付けられて記憶されている。
【００４７】
その他、図７に示された位置情報通知システムの各要素の説明は、実施の形態１の図１に関する説明と同様であるため、説明を省略する。
【００４８】
図７において、スポット告知専用基地局６は、図４の処理と同様にして、報知情報を無線エリア６０に出力する。つまり、携帯端末がスポット告知専用基地局６の報知情報を取得できる範囲は、Ｎ階８１のみである。携帯端末２は、図５の処理と同様にして、報知情報を取得し、セルＩＤを抽出して、そのセルＩＤに基づいてデータベース５１から提供情報を取得する。サービスネットワーク５も、図６の処理と同様にして、携帯端末２が出力したセルＩＤに関連する情報を携帯端末２に送信する。
【００４９】
以上、本実施形態にかかる位置情報通知システムにより、携帯端末２の利用者１は多層階建造物の内部に位置し、ＧＰＳによる位置情報の取得ができない場合においても、携帯端末基地局３のセルＩＤを用いて取得する提供情報よりも正確な提供情報を取得できる。また、利用者が取得する情報は、利用者が位置する上下の階層の情報も正確に加味した上で適切に提供することができる。つまり、利用者が取得した情報中の施設又は店舗等は、異なる階の施設又は店舗等の情報ではなく、同じ階に存在する施設又は店舗等の情報である。換言すれば、利用者は、位置の高さを考慮に入れた提供情報を取得できる。
【００５０】
前述の通り、利用者は、携帯端末基地局の無線エリアの位置によって携帯端末の位置に係る情報を知ることはできたが、基地局の無線エリアが広い場合、取得した位置に係る情報は精度が良くない可能性が生じていた。また、ＧＰＳとの交信機能を備えた携帯端末では、ビルの中や地下街等のＧＰＳ衛星からの電波が届かない場所では、携帯端末の位置把握はできなかった。地下街で、屋外のＧＰＳアンテナで受信したＧＰＳ信号を地下街に再送信するという方法の例もあるが、取得した位置情報では、地上と地下街との区別ができないという問題が残っていた。
【００５１】
本発明の実施形態１及び２にかかる位置情報通知システムでは、携帯端末基地局の無線エリアよりも狭い特定のスポット（スポット告知専用基地局の無線エリア）の位置情報、周辺の施設又は店舗等の情報を、携帯端末の利用者はより精度よく把握できる。また、ＧＰＳ衛星からの電波が届かない建造物の内部に利用者が位置する場合でも、本発明にかかる位置情報通知システムは、位置する上下階層も考慮した、３次元上の位置に係る提供情報を精度良く適切に提供することができる。つまり、本発明にかかる位置情報通知システムは、携帯端末における位置捕捉又はナビゲーション機能の向上に寄与することが可能であるという特長を有する。以上から、位置に関してより正確な情報の提供を可能にする、位置情報通知システム及び送信専用のスポット告知専用基地局を提供することができる。
【００５２】
また、本発明の実施形態におけるスポット告知専用基地局は、セルＩＤを含む報知情報を狭小なエリアに送信するだけで、携帯端末及びコアネットワークとの音声又はデータの通信は行わない。ゆえに、スポット告知専用基地局においては、アンプ部の最大送信電力は比較的低い値で十分であり、ベースバンド処理部は高い処理性能は求められず、コアネットワークとの回線処理機能も不要である。そのため、スポット告知専用基地局は小型かつ低コストで開発することが可能であり、狭小なエリア毎にきめ細かく配備するために適した特徴を有する。またスポット告知専用基地局は低消費電力であるため、電池式（例えばボタン型電池）にすることも可能である。その場合、スポット告知専用基地局は、外部からの電源が確保できない場所に設けることもできる。さらに、スポット告知専用基地局は小型であるため、比較的容易に設置することができる。
【００５３】
以上から、スポット告知専用基地局は、携帯端末との通信が可能で無線エリアが極めて小さいフェムトセル等の基地局と比較すると、狭小なエリア毎にきめ細かく配備するのに適しているといえる。
【００５４】
なお、本発明は上記実施の形態に限られたものではなく、趣旨を逸脱しない範囲で適宜変更することが可能である。例えば、実施の形態１又は２にかかる位置情報通知システムにて、携帯端末基地局３の出力する無線と、スポット告知専用基地局６の出力する無線とは周波数帯域が同一としたが、異なっているような構成でもよい。
【００５５】
実施の形態２にかかる位置情報通知システムにおいては、施設８の階毎にスポット告知専用基地局の無線エリアが設けられているとした。しかし、施設８の形状によっては、１つの階が広い面積を有している場合も考えられる。その場合、施設８の１つの階の異なる範囲に対して複数のスポット告知専用基地局を設けることで、利用者は、１つの階の異なる部分の位置情報を、取得できるようにしてもよい。
【００５６】
上述のように、複数のスポット告知専用基地局が同一の階に設けられている場合、複数のスポット告知専用基地局からの無線が同時に携帯端末に送信されることが考えられる。また、スポット告知専用基地局が異なる階に設けられている場合でも、建物の形状によっては、複数のスポット告知専用基地局からの無線が同時に携帯端末に送信されることが想定される。例えば、建物内に吹き抜けが存在するような場合である。同様の事態は、屋外の大通り等で、複数のスポット告知専用基地局を設けた場合にも想定される。このように、それぞれ異なる無線エリアを有する複数のスポット告知専用基地局が、重複する無線エリアを有する事態が想定される。
【００５７】
以上のように、携帯端末は、複数のスポット告知専用基地局から取得する無線を受信する場合、提供情報を次のように取得してもよい。まず、携帯端末は、複数のスポット告知専用基地局から取得する無線中において、最も強い電波強度を有する無線を判定する。携帯端末は、判定した最も強い電波強度を有する無線から、セルＩＤを前述の通り検出し、それに基づいて提供情報を取得する。これにより、携帯端末は、複数のスポット告知専用基地局のうち、比較的近い位置に係るスポット告知専用基地局のセルＩＤを検出することができる。
【００５８】
また、本発明の実施の形態での通信網の構成やセルＩＤに関する技術は、ＬＴＥ（Ｌｏｎｇ  Ｔｅｒｍ  Ｅｖｏｌｕｔｉｏｎ）に代表される方式に基づいて記載した。しかし、本発明で示した位置情報通知システムは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、第３世代移動通信システム、ＨＳＰＡ（Ｈｉｇｈ  Ｓｐｅｅｄ  Ｐａｃｋｅｔ  Ａｃｃｅｓｓ）、無線ＬＡＮ（Ｌｏｃａｌ  Ａｒｅａ  Ｎｅｔｗｏｒｋ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）といった、他の規格に基づいて通信網が構成されている場合でも適用可能である。
【符号の説明】
【００５９】
１  利用者
２  携帯端末
３  携帯端末基地局
４  コアネットワーク
５  サービスネットワーク
６  スポット告知専用基地局
７  電柱
８  施設
２１  上位アプリケーション処理部
２２  下位レイヤ処理部
２３  無線送受信モジュール部
３０  無線エリア
５１  データベース
６０  無線エリア
６１  報知情報格納メモリ部
６２  ベースバンド処理部
６３  アンプ部
６４  アンテナ部
８１  施設のＮ階
【図１】
2012114673.tif 000003
【図２】
2012114673.tif 000004
【図３】
2012114673.tif 000005
【図４】
2012114673.tif 000006
【図５】
2012114673.tif 000007
【図６】
2012114673.tif 000008
【図７】
2012114673.tif 000009
【図８】
2012114673.tif 000010
【図９】
2012114673.tif 000011